(57)【要約】【課題】ぜんまいを駆動源とした場合の欠点を解消し、精度安定や持続時間の延長を実現できる時計を提供すること。【解決手段】本発明の時計は、ぜんまいと、ぜんまいが出力するトルクによって回転する出力車としての太陽車４７と、太陽車４７と同期して回転するレバーとしての太陽レバー７０と、この太陽レバー７０を押圧する押圧部材としてのばね部材７１と、を備え、ばね部材７１は、ぜんまいが巻き戻るに従って、太陽車４７の出力トルクが大きくなるように太陽レバー７０を押圧する。【選択図】図２
2008268177.tif 000002
【特許請求の範囲】
【請求項１】
ぜんまいと、
前記ぜんまいが出力するトルクによって回転する出力車と、
前記出力車と同期して回転するレバーと、
このレバーを押圧する押圧部材と、を備え、
前記押圧部材は、前記ぜんまいが巻き戻るに従って、前記出力車の出力トルクが大きくなるように前記レバーを押圧する
ことを特徴とする時計。
【請求項２】
請求項１に記載の時計において、
前記押圧部材は、前記ぜんまいの最大巻き上げ側では、前記レバーを前記回転中心または前記回転中心近傍の側に向けて押圧し、
前記ぜんまいが巻き戻るに従って、前記レバーを前記出力車の出力トルクが大きくなるように押圧する
ことを特徴とする時計。
【請求項３】
請求項２に記載の時計において、
前記レバーは、回転中心から外方に延設されてその先端部が前記押圧部材で押圧されており、
前記押圧部材は、前記ぜんまいの最大巻き上げ側では、前記レバーの先端部を前記回転中心側に向けて押圧し、
前記ぜんまいが巻き戻るに従って、前記レバーの先端部を前記出力車の出力トルクが大きくなるように押圧する
ことを特徴とする時計。
【請求項４】
請求項１または２に記載の時計において、
前記押圧部材は、前記出力車から減速されて回転する押圧車と、前記押圧車に一体に設けられ、前記ぜんまいが巻き戻るに従って前記レバーとは離間した位置から前記レバーに近接し接触する押圧カムとを有し、
前記押圧カムは、前記レバーに接触した状態において前記レバーを前記出力車の出力トルクが大きくなるように押圧する
ことを特徴とする時計。
【請求項５】
請求項１または２に記載の時計において、
前記レバーには、当該レバーの回転中心側と外方側とを結ぶ方向に沿って直線移動可能なスライダ部材と、前記レバーの回転中心を中心とする円形における弦方向に略沿って前記スライダ部材をガイドするガイド部材とが設けられ、
前記ガイド部材は、前記ぜんまいが巻き戻るに従って前記レバーの回転中心側から外方側へと前記スライダ部材をガイドし、
前記押圧部材は、前記ガイド部材および前記スライダ部材を介して前記レバーを前記出力車の出力トルクが大きくなるように押圧する
ことを特徴とする時計。
【請求項６】
請求項１または２に記載の時計において、
前記レバーは、楕円形の少なくとも一部を含んだ外周形状を有し、
前記レバーにおいて前記押圧部材により押圧される押圧位置は、前記ぜんまいが巻き戻るに従って、前記レバーの外周部における楕円形長軸側の位置から、楕円形長軸と楕円形短軸との間の中点位置に向かって変化する
ことを特徴とする時計。
【請求項７】
請求項１、２、および６のいずれかに記載の時計において、
前記レバーの外周部の一部には、前記レバーの回転中心からの距離が他の部分における前記回転中心からの距離よりも短い凹部が形成され、
前記押圧部材は、第１部材と、前記第１部材により押圧され前記第１部材および前記レバーの間に介在する第２部材とを有し、
前記第２部材は、前記レバー側に突出して前記凹部に係合する係合凸部を有し、
前記レバーにおいて前記第２部材により押圧される押圧位置は、前記ぜんまいが巻き戻るに従って前記凹部以外の位置から前記凹部へと変化する
ことを特徴とする時計。
【請求項８】
請求項１から請求項７のいずれかに記載の時計において、
前記押圧部材は、ばね部材である
ことを特徴とする時計。
【発明の詳細な説明】
【技術分野】
【０００１】
本発明は、時計に係り、特にぜんまいの巻上げ時に駆動される巻上げ輪列、および巻き解け時に駆動される巻戻り輪列を備えた時計に関する。
【背景技術】
【０００２】
ぜんまいを機械エネルギ源として輪列を駆動するウォッチ（腕時計）としては、従来からの機械式時計の他、近年では、特許文献１に記載された電子制御式機械時計が知られている。これらの時計に一般に用いられるぜんまいは、巻き上げていった最後の巻締め時には、図４中に実線Ａで示すように、ぜんまいに蓄積されるトルクが急激に大きくなり、ぜんまいが開放し始めた際に非常に大きなトルクを出力してしまうので、ぜんまいにより回転される輪列の回転速度を制御する調速機や脱進機等の規制部に大きなトルクが加わってこれらの部品が破壊するおそれがある。
【０００３】
このため、特にクロック（置き時計や掛け時計）においては、ぜんまいの巻上げを一定巻数で停止する巻止め機構が設けられていた。この巻止め機構としては、香箱真に固定されて共に回転する指と呼ばれる回転部材と、香箱に取り付けられたモールトの十字架と呼ばれる歯車とを備えたモールト十字架式巻止め機構が用いられていた。しかし、このモールト十字架式巻上げ機構は、指および歯車の強度を十分に確保する必要性から比較的大型となるうえ、香箱に重ねて配置しなければならないため、内部の部品配置スペースを確保できるクロックにしか用いることができず、内部のスペースが小さいウォッチに適用することは困難であった。
【０００４】
そこで、本発明者等は、特許文献２において、ウォッチのような内部の部品配置スペースが小さい時計であっても、著しく大きなトルクが出力されるのを防ぐこと、すなわち、ぜんまいからのトルクが常に設定範囲内で出力されるようにした時計を提案している。
【０００５】
【特許文献１】特開平８−５７５８号公報
【特許文献２】特開平２０００−２７７３号公報
【発明の開示】
【発明が解決しようとする課題】
【０００６】
ところで、ぜんまいを駆動源とした時計の場合、ぜんまいが解けるに従ってぜんまいから出力されるトルクは小さくなる。このことは、特許文献２にあるように、ぜんまいからのトルクが常に設定範囲内で出力されるようにした場合でも同じであり、設定範囲内で徐々に小さくなる。
【０００７】
そのため、従来からの機械式時計では、ぜんまいの巻き解け側において、トルクが小さくなると、調速機を構成するテンプの振り角が小さくなり、精度が悪くなる。また、電子制御式機械時計の場合では、発電機を駆動するトルクが小さくなるに従い、発電するために必要なエネルギを確保できなくなるため、持続時間を長くすることができないという問題がある。
【０００８】
反対に、ぜんまいの巻上げ側においては、急激に高いトルクが出力されることはないが、機械式時計では、テンプの振り角が大きくなってやはり、精度が悪くなる。また、電子制御式機械時計の場合では、発電ブレーキだけでは制御範囲を超えてしまう可能性があり、精度保証ができないという問題がある。
【０００９】
本発明の目的は、ぜんまいを駆動源とした場合の欠点を解消し、精度安定や持続時間の延長を実現できる時計を提供することにある。
【課題を解決するための手段】
【００１０】
本発明の時計は、ぜんまいと、前記ぜんまいが出力するトルクによって回転する出力車と、前記出力車と同期して回転するレバーと、このレバーを押圧する押圧部材と、を備え、前記押圧部材は、前記ぜんまいが巻き戻るに従って、前記出力車の出力トルクが大きくなるように前記レバーを押圧することを特徴とする。
【００１１】
本発明によれば、時計を駆動するための全体のトルクとしては、ぜんまいから出力されるトルクと、押圧部材が押圧することで出力車に付加されるトルクとを合成したトルクとなる。ここで、ぜんまいが巻き戻るに従って出力車におけるトルクが大きくなることにより、巻き戻るに従って小さくなるぜんまいのトルクを補うことが可能となる。従って、ぜんまいのトルク特性における巻き上げ側および巻き戻り側の両側でのトルク差が大きいことによる精度悪化を解消でき、精度を安定させることができる。また、特に巻き戻り側で出力車でのトルクが大きくなることにより、ぜんまいとしては従来よりもさらに巻き戻った状態でも時計を駆動できることになり、時計を駆動している持続時間を延ばすことができる。
【００１２】
本発明の時計では、前記押圧部材は、前記ぜんまいの最大巻き上げ側では、前記レバーを前記回転中心または前記回転中心近傍の側に向けて押圧し、前記ぜんまいが巻き戻るに従って、前記レバーを前記出力車の出力トルクが大きくなるように押圧することが好ましい。
【００１３】
本発明によれば、ぜんまいのフル巻き状態では、レバーをその回転中心またはその近傍の側に向けて押圧するため、レバーにより押圧されることで出力車に付加されるトルクをゼロまたはゼロに近くすることができるうえ、レバーを安定した位置に維持させることができる。レバーが安定して位置することはすなわち、ぜんまいからすれば、巻き戻り時の負荷となるから、ぜんまいが有するフル巻き側での大きなトルクを確実に軽減させることができる。反対に、ぜんまいの巻き戻り側では、押圧部材はレバーを出力車の出力トルクが大きくなる側に向けて押圧するので、出力車に出力トルクを確実に生じさせることができる。これらのことにより、ぜんまいが巻き戻るに従って、出力車で生じるトルクを確実に大きくでき、このトルクとぜんまいからのトルクとの合成による全体のトルクをより安定した大きさで出力できる。
【００１４】
本発明の時計では、前記レバーは、回転中心から外方に延設されてその先端部が前記押圧部材で押圧されており、前記押圧部材は、前記ぜんまいの最大巻き上げ側では、前記レバーの先端部を前記回転中心側に向けて押圧し、前記ぜんまいが巻き戻るに従って、前記レバーの先端部を前記出力車の出力トルクが大きくなるように押圧することが好ましい。
【００１５】
本発明によれば、レバーの押圧方向がぜんまいの巻き状態によって変化することにより、上記発明と同様の効果が得られる。
【００１６】
本発明の時計では、前記押圧部材は、前記出力車から減速されて回転する押圧車と、前記押圧車に一体に設けられ、前記ぜんまいが巻き戻るに従って前記レバーとは離間した位置から前記レバーに近接し接触する押圧カムとを有し、前記押圧カムは、前記レバーに接触した状態において前記レバーを前記出力車の出力トルクが大きくなるように押圧することが好ましい。
【００１７】
この発明によれば、押圧車は出力車に対して所定の減速比分、トルクが大きいため、出力車と同期して回転するレバーを押圧車と一体の押圧カムによって押圧することが可能となる。すなわち、押圧カムとレバーとが接触した状態となる時計の持続時間末期において、押圧カムがレバーを押圧するので、前述のように、巻き戻るに従って小さくなるぜんまいのトルクを補うことが可能となる。
【００１８】
本発明の時計では、前記レバーには、当該レバーの回転中心側と外方側とを結ぶ方向に沿って直線移動可能なスライダ部材と、前記レバーの回転中心を中心とする円形における弦方向に略沿って前記スライダ部材をガイドするガイド部材とが設けられ、前記ガイド部材は、前記ぜんまいが巻き戻るに従って前記レバーの回転中心側から外方側へと前記スライダ部材をガイドし、前記押圧部材は、前記ガイド部材および前記スライダ部材を介して前記レバーを前記出力車の出力トルクが大きくなるように押圧することが好ましい。
【００１９】
この発明では、ガイド部材およびスライダ部材を介してレバーが押圧されるため、レバーが回転してもガイド部材に対する押圧部材の押圧力が変動しない。このため、一定の押圧力で安定的にレバーを押圧することが可能となる。
そのうえ、本発明によれば、ぜんまいが巻き戻る際にスライダ部材がレバーの回転中心側から外方側へと移動することにより、レバーの回転中心から次第に離れた位置で押圧部材がレバーを押圧することとなるので、押圧によって出力車に付加されるトルクをぜんまいが巻き戻るに従って次第に大きくすることが可能となる。すなわち、ぜんまいが出力するトルクが小さくなるほど出力車に付加されるトルクが大きくなり、このような付加トルクによって適時にぜんまいの出力トルクが補われることにより、これらのトルクが合成されたトルクが時計の持続時間において略一定となる。これにより、時計の精度がより一層安定するとともに、時計の持続時間をより一層延ばすことができる。
【００２０】
本発明の時計では、前記レバーは、楕円形の少なくとも一部を含んだ外周形状を有し、前記レバーにおいて前記押圧部材により押圧される押圧位置は、前記ぜんまいが巻き戻るに従って、前記レバーの外周部における楕円形長軸側の位置から、楕円形長軸と楕円形短軸との間の中点位置に向かって変化することが好ましい。
【００２１】
この発明では、楕円形の少なくとも一部を含んだ外周形状を有するカムを用いることにより、上述のスライダ部材およびガイド部材を用いた場合と同様の効果がより簡略な構成で得られる。すなわち、押圧部材による押圧方向が、ぜんまいが巻戻るに従ってレバーの回転中心から次第に離れた方向を向くため、押圧部材の押圧によってレバーおよび出力車に付加されるトルクがぜんまいが巻戻るに従って次第に大きくなる。つまり、ぜんまいが出力するトルクが小さくなるほど出力車に付加されるトルクが大きくなり、このような付加トルクによって適時にぜんまいのトルクが補われることにより、これらのトルクが合成されたトルクが時計の持続時間において略一定となる。これにより、時計の精度がより一層安定するとともに、時計の持続時間をより一層延ばすことができる。
【００２２】
本発明の時計では、前記レバーの外周部の一部には、前記レバーの回転中心からの距離が他の部分における前記回転中心からの距離よりも短い凹部が形成され、前記押圧部材は、第１部材と、前記第１部材により押圧され前記第１部材および前記レバーの間に介在する第２部材とを有し、前記第２部材は、前記レバー側に突出して前記凹部に係合する係合凸部を有し、前記レバーにおいて前記第２部材により押圧される押圧位置は、前記ぜんまいが巻き戻るに従って前記凹部以外の位置から前記凹部へと変化することが好ましい。
【００２３】
この発明では、第２部材によりレバーの凹部以外の位置が押圧される際には、係合凸部の先端部がレバーの凹部以外の部分に摺動しこの摺動抵抗によって出力車に負荷が掛かる。これにより、ぜんまいの出力トルクが過大な場合にその過大なトルクを負荷の分だけ小さくできるので、精度を安定させることができる。
一方、ぜんまいが巻き戻り、第２部材の係合凸部がレバーの凹部に係合した際には、係合凸部がレバーを出力車の出力トルクが大きくなるように押圧する。すなわち、係合凸部が凹部に係合した状態となる時計の持続時間末期において、前述のように、小さくなったぜんまいのトルクを補うことが可能となる。
【００２４】
本発明の時計では、前記押圧部材はばね部材であることが好ましく、薄板状のばね素材を打抜加工等することにより、ばね部材を安価でかつ容易に製造できるうえ、時計内での限られた配置スペースへも確実に収容できる。
【発明の効果】
【００２５】
本発明の時計によれば、ぜんまいから出力されるトルクと、出力車で生じるトルクとを合わせることにより、よりフラットな出力カーブのトルクで時計を駆動でき、精度安定や持続時間の延長を実現できるという効果がある。
【発明を実施するための最良の形態】
【００２６】
以下、本発明の一実施形態を図面に基づいて説明する。なお、以降の説明において、既に説明した構成と同様の構成については、同一符号を付して、説明を省略もしくは簡略化する。
〔第１実施形態〕
図１には、本発明の第１実施形態に係る時計１の概略平面図が示されている。この図１において、時計１は、電子制御式機械時計であり、ぜんまい１０と、ぜんまい１０による機械的エネルギで駆動される駆動輪列２０と、ぜんまい１０の機械的エネルギの残量を表示するぜんまい残量表示機構３０とを備えている。
【００２７】
ぜんまい１０は、香箱１１に収納されており、このぜんまい１０の外端は、時計１が手巻き時計の場合には、香箱１１の外周に形成された香箱歯車１２に固定されており、また時計１が自動巻時計の場合には、香箱１１の内周に当接され、所定値以上のトルクが付加されるとぜんまい１０が香箱１１内周に対して滑るように構成されている。また、ぜんまい１０の内端は、香箱１１の中心に設けられた香箱真１３に固定されており、香箱真１３は、角穴車１５と一体的に回転可能な香箱真かな１４とともに、一体的に回転可能となっている。角穴車１５は、巻き上げ部１６に接続されており、巻き上げ部１６の一部である巻真１７を回転させると、角穴車１５が回転し、ぜんまい１０が巻き上げられるようになっている。
【００２８】
駆動輪列２０は、香箱歯車１２と噛み合う二番車２、二番車２と噛み合う三番車３、二番車２と同軸上に配置されて三番車３と噛み合う四番車４、四番車４と噛み合う五番車５、五番車５と噛み合う六番車６により構成された増速輪列である。二番車２と一体の図示しない筒かなには分針が取り付けられ、筒かなから日の裏車を介して回転が伝達される筒車には時針が取り付けられる。また、四番車４の軸部先端には秒針が取り付けられる。さらに、時計１が電子制御式機械時計である本実施形態では、最も高速となる六番車６の回転は発電機７のロータ８に伝達され、発電機７にて発電された電気的エネルギによりロータ８の回転制御を行い、駆動輪列２０を調速するように構成されている。なお、図１において、二番車２および四番車４の外径寸法は略同じであるため、図中では互いに重なった状態で図示してある。
【００２９】
図２には、ぜんまい残量表示機構３０の部分拡大図が示されている。図１および図２に示されるように、ぜんまい残量表示機構３０は、巻き上げ輪列４０と、巻き戻り輪列５０と、パワーリザーブ表示輪列６０とを備えている。
【００３０】
巻き上げ輪列４０は、香箱真かな１４に噛合される第一遊星伝え車４１と、この第一遊星伝え車４１に噛合する第二遊星伝え車４２と、第二遊星伝え車４２に噛合する第三遊星伝え車４３と、第三遊星伝え車４３に噛合する第二太陽車４４と、第二太陽車４４に噛合する第一の遊星車４５Ａおよびこの第一の遊星車４５Ａと一体とされた第二の遊星車４５Ｂを有する遊星車４５と、第二太陽車４４と同軸上に配置され、遊星車４５を遊星回転可能に固定する遊星中間車４６と、第二の遊星車４５Ｂに噛合する太陽車４７とを備えている。
【００３１】
一方、巻き戻り輪列５０は、出力車としての太陽車４７と、遊星車４５と、遊星中間車４６と、遊星中間車４６に噛合する第五遊星伝え車５１と、第五遊星伝え車５１に噛合する第四遊星伝え車５２とを備えて構成される。第四遊星伝え車５２は、香箱歯車１２に噛合されている。
【００３２】
パワーリザーブ表示輪列６０は、太陽車４７に噛合する円弧歯車６１と、円弧歯車６１に噛合するとともに、パワーリザーブ針６３が固定されるパワーリザーブ針車６２とを備えて構成される。円弧歯車６１は、中心軸６１Ａを中心とする仮想円上の二箇所に部分的に円弧状に複数の歯が形成されており、一方が太陽車４７に噛合され、他方がパワーリザーブ針車６２に噛合されている。このような円弧歯車６１によれば、太陽車４７の回転運動が円弧歯車６１を介してパワーリザーブ針車６２に伝達されることにより、パワーリザーブ針６３のレイアウトの自由度を高めることができる。
【００３３】
このような巻き上げ輪列４０、巻き戻り輪列５０、およびパワーリザーブ表示輪列６０によれば、ぜんまい１０の巻上げ操作で香箱真かな１４が回転されると、そのトルクは第一遊星伝え車４１から順次減速して第二遊星伝え車４２、第三遊星伝え車４３、第二太陽車４４、遊星車４５、および太陽車４７に伝達されるようになっている。ここで、ぜんまい１０の巻上げ時には香箱歯車１２は回転が遅くほぼ停止状態の為、遊星中間車４６から第四遊星伝え車５２までは固定状態とされ、遊星車４５はその場で回転して太陽車４７を回転させる。太陽車４７に伝達されたトルクは円弧歯車６１、およびパワーリザーブ針車６２に伝達され、パワーリザーブ針６３が回動するようになっている。
【００３４】
また、ぜんまい１０が巻戻る時には、香箱真かな１４が停止しているために、第一遊星伝え車４１から第二太陽車４４までは停止している。そして、香箱歯車１２が回転されると、そのトルクは第四遊星伝え車５２から順次減速して第五遊星伝え車５１、および遊星中間車４６に伝達される。この際、第二の遊星車４５Ｂが噛合している第二太陽車４４が停止しているため、遊星車４５は第二太陽車４４の回りを自転しながら公転する。これにより、遊星車４５Ａに噛合している太陽車４７がぜんまい１０の巻上げ操作時とは逆方向に回転する。この太陽車４７に伝達されたトルクは、円弧歯車６１、およびパワーリザーブ針車６２に伝達され、パワーリザーブ針６３が巻き上げ操作時とは逆方向に回動するようになっている。
【００３５】
なお、本実施形態では、香箱歯車１２（香箱真かな１４）から太陽車４７まで減速比は１／２７に設定されており、ぜんまい１０の巻数が「７．５」の場合（回転角は３６０°×７．５＝２７００°）、太陽車４７つまりパワーリザーブ針６３は１００°回動するよ
うに設定されている。ここで、これらの減速比およびパワーリザーブ針６３の作動角の設定は、時計１の大きさや、仕様などによって適宜設定されればよい。
【００３６】
また、太陽車４７には、香箱真かな１４が回転するとぜんまい１０の巻上げ量に対応したトルクが伝達されて所定方向の回転として加算され、ぜんまい１０が巻き戻されて香箱歯車１２が回転するとぜんまい１０の巻戻し量に対応したトルクが伝達されて反対方向の回転として減算される。従って、太陽車４７を共通に含んだ巻き上げ輪列４０および巻き戻り輪列５０によりぜんまい１０の巻数が算出され、太陽車４７の回転位置によりぜんまい１０の巻数が示される。
【００３７】
以下では、本発明の最も特徴的な構成を図２に基づいて説明する。図２において、太陽車４７の回転軸には、その中心から外方に延出した太陽レバー７０が固定されている。従って、太陽レバー７０は、太陽車４７と連動して回転するとともに、パワーリザーブ針６３と同期してぜんまい１０の残量に応じて作動する。この太陽レバー７０の先端側には、押圧部材としてのばね部材７１が当接している。ばね部材７１は、薄板状のばね素材を打抜加工等することで製作されている。
【００３８】
ここで、図２に示す状態は、ぜんまい１０がおおよそ巻き戻った側にある場合であり、パワーリザーブ針６３の位置で言えば、図４に示すように、残量表示が略ゼロを示す位置にある。この時、ばね部材７１は、太陽レバー７０を反時計方向（図２中の矢印参照）、
つまり、ぜんまい１０が巻き戻ることで回転する方向に押圧している。また、持続時間に達した状態では、太陽レバー７０の一方の側縁７０Ａは、第五遊星伝え車５１に接触し、太陽車４７の戻り側への回転をロックする。このことにより、ぜんまい１０のさらなる巻き戻りが防止されるため、パワーリザーブ針６３がゼロ表示位置からさらに戻った位置を示すことがないうえ、トルク不足によって調速が不能になるといった事態も生じない。
【００３９】
一方、図３に示す状態は、ぜんまい１０がおおよそ巻上がった側にある場合であり、パワーリザーブ針６３の位置で言えば、図４に示すように、残量表示が略フルを示す位置にある。この時、ばね部材７１は、太陽レバー７０を回転中心側（図３中の矢印参照）に押圧している。また、ぜんまい１０が完全に巻上がった状態では、太陽レバー７０の他方の側縁７０Ｂは、地板１Ａに打ち込まれているピン７２に接触することとなり、太陽車４７の巻き上げ側への回転をロックする。このことにより、ぜんまい１０のさらなる巻き上がりが防止されるため、パワーリザーブ針６３がフル表示位置からさらに進んだ位置を示すことがない。
【００４０】
このようなばね部材７１は、ぜんまい１０が巻き上がった状態では、太陽レバー７０をその回転中心側に向けて押圧する力が最大となるため、ぜんまい１０が巻き戻ろうとした際に最大の負荷となる。このため、駆動輪列２０を駆動するための全体のトルクは、この負荷分だけ小さくなる。反対に、ぜんまい１０が巻き戻った状態では、太陽レバー７０をその巻き戻し側への回転方向に押圧するため、この押圧分のトルクが、巻き戻ろうとする太陽車４７に補助力として働くことになる。このため、駆動輪列２０を駆動するための全体のトルクは、太陽車４７側から伝達される補助トルク分だけ増加する。
【００４１】
すなわち、ばね部材７１が太陽レバー７０を押圧することで生じる太陽車４７でのトルクだけを見ると、図４に実線Ｂで示すように、ぜんまい１０が巻き上がった状態で最も小さくなり（ぜんまい１０からすれば巻き戻ろうとする際の負荷となる）、ぜんまい１０が巻き戻るに従って徐々に大きくなる。そして、途中からは、ばね部材７１の押圧力による太陽車４７でのトルクが、太陽車４７の減算側（巻き戻り側）への回転をアシストする方向に作用し始め、ぜんまいが巻き戻るに従ってアシスト分が大きくなる。従って、駆動輪列２０を駆動するための全体のトルクは、ぜんまい１０の本来のトルクと、太陽レバー７０が押圧されることで生じるトルクとが合成されたものとなり、実線Ｃで示すトルクカーブを描いて出力されることになる。
【００４２】
すなわち、本実施形態によれば、次のような効果が得られる。
（１）従来の持続時間内においては、実線Ａで示すように、出力トルクがＴ２からＴ１に下がり、変動量が大きい。このため、巻き上げ側および巻き戻り側の両側において、前述したような精度悪化といった問題が生じていた。これに対して本実施形態によれば、従来の持続時間内では、トルクの変動が小さく、略一定したトルクを出力させることができ、精度を向上させることができる。また、実線Ｃのトルクカーブによれば、運針に必要な最低のトルクＴ１は、従来の持続時間を超えて維持されるため、従来に比して持続時間を延長できる（図中４の点線矢印参照）。
【００４３】
（２）ぜんまい１０が巻き上がった状態では、ばね部材７１が太陽レバー７０をその回転中心側に向けて押圧するため、巻き戻ろうとするぜんまい１０に対して負荷が掛かる。本実施形態では、ピン７２によってぜんまい１０の巻き上げ過ぎが防止されているものの、ばね部材７１により太陽レバー７０が回転中心側に向けて押圧されることにより、ぜんまい１０がフルに巻き上げられた状態、もしくはこれに近い状態におけるぜんまい１０の過大なトルクが駆動輪列２０や調速部に作用することをより確実に防止できる。これにより、時計の計時精度および表示精度をより一層向上させることができる。
【００４４】
（３）ぜんまい１０がフルに巻き上げられて最大のトルクを出力する状態においてばね部材７１が最も撓み、最大のばね力によってぜんまい１０に負荷が与えられるため、ぜんまい１０の過大な出力トルクを効率的に低減できる。
【００４５】
〔第２実施形態〕
次に、本発明の第２実施形態について図５および図６を参照して説明する。本実施形態では、太陽車にトルクを付加する押圧部材の構成が第１実施形態とは相違する。
【００４６】
図５は、本実施形態の時計の要部を示す平面図である。本実施形態における出力車としての太陽車８７の回転軸には、太陽レバー８０が固定されている。
太陽レバー８０は、その回転中心から太陽車８７の回転方向と交差する方向に沿って、太陽車８７の周縁を越える位置まで延びており、太陽車８７の回転に同期して回転する。ここで、太陽レバー８０に関して図５に二点鎖線で示した位置は、ぜんまい１０がおおよそ巻き上がった際の太陽レバー８０を示し、実線で示した位置は、ぜんまい１０がおおよそ巻き戻って時計の持続時間の末期に到達した際の太陽レバー８０を示している。
【００４７】
本実施形態では、第１実施形態（図２）で設けられていたぜんまい残量表示機構３０や、太陽車４７の巻き上げ側への回転をロックするピン７２が設けられていないが、これらぜんまい残量表示機構３０およびピン７２と略同様の構成が図５に示した構成に設けられていてもよい。なお、後述の第３〜第５実施形態においても同様である。
【００４８】
本実施形態では、太陽車８７に噛合し、太陽車８７から減速されて回転する押圧車８２が設けられている。本実施形態における押圧部材は、押圧車８２と、この押圧車８２の回転軸に一体に設けられた押圧カム８１とを有して構成されている。
押圧カム８１は、押圧車８２の回転軸に固定された側の一端部から押圧車８２の回転方向と交差する方向に延びている。押圧カム８１に関して図５に二点鎖線で示した位置は、ぜんまい１０がおおよそ巻き上がった際の押圧カム８１を示し、実線で示した位置は、ぜんまい１０がおおよそ巻き戻って時計の持続時間の末期に到達した際の押圧カム８１を示している。
【００４９】
ここで、押圧車８２は太陽車８７に対して所定の減速比分、トルクが大きいため、押圧カム８１は太陽レバー８０とは離間した位置（図５の二点鎖線参照）から次第に太陽レバー８０に近接し、接触する（図５の実線参照）。この状態において、押圧カム８１は太陽レバー８０を図５における太い矢印方向に向けて押圧する。この押圧カム８１の押圧によって太陽車８７にトルクが生じる。このトルクは、ぜんまい１０の巻き戻り時に減算側へ回転しようとする太陽車８７に補助力として働く。
【００５０】
図６は、本実施形態に関し、時計を駆動するためのトルクと、時計の持続時間との関係を示す。実線Ａ〜Ｃは、第１実施形態（図４）と同様にそれぞれ、ぜんまい１０が出力するトルク（実線Ａ参照）、太陽車８７の減算側への回転の補助力として押圧部材により付加される付加トルク（実線Ｂ参照）、ぜんまい１０による出力トルクと押圧部材による付加トルクとが合成されたトルク（実線Ｃ参照）を示す。
【００５１】
ここで、本実施形態では、ぜんまい１０が巻き上がった状態から、ぜんまい１０が巻き戻って押圧カム８１が太陽レバー８０に接触するまでの間、押圧カム８１と太陽レバー８０とは離間した位置にあるため、実線Ｂに示すように押圧部材（押圧車８２および押圧カム８１）による付加トルクはゼロであり、付加トルクとぜんまい１０の出力トルクとが合成されたトルクはぜんまい１０の出力トルクに等しい（実線Ｃ参照）。
【００５２】
本実施形態では、押圧カム８１が太陽レバー８０に接触した状態となる持続時間末期から付加トルクが生じる。この付加トルクは、ぜんまい１０が巻き戻るに従って次第に大きくなる。この付加トルクとぜんまい１０の出力トルクとが合成されたトルクは実線Ｃに示すように、付加トルク分だけ増加する。
【００５３】
以上の第２実施形態によれば、第１実施形態で述べた（１）と略同様の効果が得られる。
【００５４】
〔第３実施形態〕
次に、本発明の第３実施形態について図７〜図９を参照して説明する。第１実施形態では、押圧部材（ばね部材７１）によって太陽レバーが直接押圧されていたが、本実施形態では、押圧部材が他の部材を介して太陽レバーを押圧する。
【００５５】
図７は、本実施形態の時計の要部を示す平面図である。
太陽レバー８０には、太陽レバー８０の回転中心側と外方側とを結ぶ方向に沿って直線移動可能なスライダ部材９２と、太陽レバー８０の回転中心を中心とする円における弦方向にほぼ沿ってスライダ部材９２をガイドするガイド部材９３とが設けられている。
【００５６】
ガイド部材９３には、スライダ部材９２が有する凸部が係合する長孔９３０が形成されている。ガイド部材９３の一端部９３１は地板１Ａに軸支されており、ガイド部材９３の他端部９３２は、ばね部材７１によって押圧されている。すなわち、ばね部材７１は、ガイド部材９３およびスライダ部材９２を介して太陽レバー８０を押圧している。
【００５７】
ここで、図７は、ぜんまい１０がおおよそ巻き戻って時計の持続時間末期に到達した際の状態を示す。この状態において、スライダ部材９２は長孔９３０におけるガイド部材９３の軸支側とは反対側の端部で且つ、太陽レバー８０の先端部に位置している。この状態において、ばね部材７１は太陽レバー８０を図７における太い矢印方向に向けて押圧する。このばね部材７１の押圧により、太陽車４７を減算側に向けて回転させるトルクが生じる。
【００５８】
一方、図８は、ぜんまい１０がおおよそ巻き上がった状態を示す。この状態において、スライダ部材９２は長孔９３０におけるガイド部材９３の軸支側の端部で且つ、太陽レバー８０の基端部近傍に位置している。この状態において、図８の太い矢印のように、ばね部材７１が太陽レバー８０を太陽レバー８０の回転中心近傍に向けて押圧することにより、太陽車４７の回転に負荷が掛かる。この図８の状態では、太陽車４７に減算側へ回転させるトルクが付加されることはない。
【００５９】
本実施形態では、太陽レバー８０が回転するとガイド部材９３に対してスライダ部材９２が移動する。つまり、太陽レバー８０が回転してもガイド部材９３の位置は変わらないため、ガイド部材９３を押圧するばね部材７１の撓み量は一定である。すなわち、スライダ部材９２およびガイド部材９３を介して、ばね部材７１は太陽レバー８０を一定のばね力で安定的に押圧する。
【００６０】
図８の状態からぜんまい１０が巻き戻ると、スライダ部材９２が太陽レバー８０の回転中心側から外方側へと移動し、これによって太陽レバー８０は、回転中心から次第に離れた位置でばね部材７１により押圧される。これにより、太陽車４７への付加トルクはぜんまい１０が巻き戻るに従って大きくなる。
【００６１】
図９は、本実施形態に関し、時計を駆動するためのトルクと、時計の持続時間との関係を示す。実線Ａ〜Ｃは、第１実施形態（図４）の場合と同様にそれぞれ、ぜんまい１０が出力するトルク（実線Ａ参照）、太陽車４７の減算側への回転の補助力として押圧部材により付加される付加トルク（実線Ｂ参照）、ぜんまい１０による出力トルクと押圧部材による付加トルクとが合成されたトルク（実線Ｃ参照）を示す。
【００６２】
ここで、ぜんまい１０がおおよそ巻き上がった状態では（図８）、ばね部材７１により太陽レバー８０が回転中心近傍に向けて押圧されていることから、太陽車４７の回転に負荷が掛かっている。すなわち、巻き戻ろうとするぜんまい１０に負荷が掛かっている。この状態では、ばね部材７１によって太陽車４７に付加される減算側へのトルクが図９の実線Ｂに示すように最小となる。
【００６３】
この状態からぜんまい１０が巻き戻ると、スライダ部材９２がガイド部材９３の長孔９３０に沿って移動する。このとき、前述のようにばね部材７１が一定のばね力で太陽レバー８０を押圧するとともに、ばね部材７１による太陽レバー８０の押圧位置がスライダ部材９２の移動によって太陽レバー８０の回転中心側から先端側へと変化する。これにより、ばね部材７１による太陽車４７への付加トルクは次第に大きくなり、太陽車４７を減算側に回転させる補助力として働く。この付加トルクとぜんまい１０の出力トルクとが合成されたトルクは、図９の実線Ｃに示すように、ばね部材７１による付加トルク分だけ増加する。
【００６４】
ここで、ばね部材７１により押圧される太陽レバー８０の押圧位置がスライダ部材９２の移動によって変化することにより、ぜんまい１０が巻き戻ってぜんまい１０の出力トルクが小さくなるほど太陽車４７に付加されるトルクが大きくなる。このように太陽車４７に付加されるトルクによって適時にぜんまい１０の出力トルクが補われることにより、図９に示すように、これらのトルクが合成されたトルクが時計の持続時間において略一定となる。
【００６５】
以上の第３実施形態によれば、第１実施形態で述べた（１）および（２）と略同様の効果に加え、次のような効果が得られる。
（４）スライダ部材９２およびガイド部材９３を介して太陽レバー８０を一定のばね力で押圧しつつ、スライダ部材９２の移動によって太陽レバー８０の押圧位置を変化させることにより、付加トルクとぜんまい１０の出力トルクとが合成されたトルクが時計の持続時間において略一定となる。これによって精度がより一層安定するとともに、時計の持続時間をより一層延ばすことができる。
【００６６】
〔第４実施形態〕
次に、本発明の第４実施形態について図１０〜図１２を参照して説明する。本実施形態では、太陽レバーの形状が前記各実施形態とは相違する。
図１０は、本実施形態の時計の要部を示す平面図である。本実施形態では、レバーとしての太陽カム１００が設けられている。太陽カム１００は、楕円形の略１／４の外周形状を有している。
【００６７】
なお、前記各実施形態とは異なり、本実施形態では第三遊星伝え車４３および第四遊星伝え車５２が設けられておらず、第二遊星伝え車４２が第二太陽車４４に噛合するとともに、第五遊星伝え車５１が香箱歯車１２に噛合している。このような構成とすることにより、太陽車４７の回転方向を前記各実施形態における太陽車の回転方向とは逆方向（図１０中、時計回り方向）とし、太陽カム１００を押圧するばね部材７１を地板１Ａの空いたスペースに配置し易くしている。但し、地板１Ａ上の図１０における左側部分にばね部材７１の配置スペースが確保できる場合などには、前記各実施形態と同様に第三遊星伝え車４３および第四遊星伝え車５２を備えた輪列構成としてよい。
【００６８】
ここで、図１０は、ぜんまい１０がおおよそ巻き戻って時計の持続時間末期に到達した際の状態を示す。この状態では、太陽カム１００において回転中心からの距離が大きい長軸部１００Ａと回転中心からの距離が小さい短軸部１００Ｂとの間の略中点位置がばね部材７１によって押圧される。このとき、図１０における太い矢印方向のように、ばね部材７１による押圧力の方向が太陽車４７を減算側に回転させる側に向いており、これによって太陽車４７にトルクが付加される。
【００６９】
一方、図１１は、ぜんまい１０がおおよそ巻き上がった状態を示す。この状態では、太陽カム１００において回転中心からの距離が大きい長軸部１００Ａがばね部材７１によって押圧される。このとき、図１１における太い矢印のように、ばね部材７１による押圧力の方向が太陽カム１００の回転中心側に向いており、これによって太陽車４７に負荷が掛かる。この図１１の状態では、太陽車４７に減算側へ回転させるトルクが付加されることはない。
【００７０】
図１１の状態からぜんまい１０が巻き戻ると、ばね部材７１により押圧される太陽カム１００の押圧位置が長軸部１００Ａ側の位置（図１１参照）から、長軸部１００Ａと短軸部１００Ｂとの間の中点位置（図１０参照）に向かって変化する。このような太陽カム１００の回転により、ばね部材７１による押圧方向（太陽カム１００とばね部材７１との接線に直交する方向（法線方向））は、太陽カム１００の回転中心から次第に離れた方向を向く。この押圧方向における太陽カム１００の回転中心から太陽車４７を減算側に回転させる側への離間距離は、ばね部材７１が長軸部１００Ａ側の位置に接した状態（図１１）から、長軸部１００Ａと短軸部１００Ｂとの間の中点位置に接した状態（図１０）となるまでの間では、次第に増加する。図１１の状態では、太陽カム１００の回転中心からばね部材７１による押圧位置までの距離に応じた押圧力と、押圧方向における太陽カム１００の回転中心からの離間距離との積により、太陽カム１００を回転させるモーメントが最大となる。以上により、太陽車４７への付加トルクはぜんまい１０が巻き戻るに従って大きくなる。
なお、本実施形態の太陽カム１００は、楕円形の略１／４の形状であるが、これに限らず、太陽カム１００は、長軸部１００Ａと、長軸部１００Ａおよび短軸部１００Ｂの間の中点位置とを含むような楕円の１／８の形状とすればよい。
【００７１】
図１２は、本実施形態に関し、時計を駆動するためのトルクと、時計の持続時間との関係を示す。実線Ａ〜Ｃは、第１実施形態（図４）の場合と同様にそれぞれ、ぜんまい１０が出力するトルク（実線Ａ参照）、太陽車４７の減算側への回転の補助力として押圧部材により付加される付加トルク（実線Ｂ参照）、ぜんまい１０による出力トルクと押圧部材による付加トルクとが合成されたトルク（実線Ｃ参照）を示す。これらのトルクと時計の持続時間との関係は、第３実施形態（図９）と同様となる。
【００７２】
すなわち、ぜんまい１０がおおよそ巻き上がった状態では（図１１）、ばね部材７１により太陽カム１００が回転中心に向けて押圧されていることから、太陽車４７に負荷が掛かり、これによってぜんまい１０にも負荷が掛かっている。この状態では、ばね部材７１によって太陽車４７に付加される減算側へのトルクが図１１の実線Ｂに示すように最小となる。
【００７３】
この状態からぜんまい１０が巻き戻ると、ばね部材７１により押圧される太陽カム１００の押圧位置が長軸部１００Ａ側から長軸部１００Ａと短軸部１００Ｂとの間の中点位置に向かって変化するため、ばね部材７１による太陽車４７への付加トルクは次第に大きくなり、太陽車４７を減算側に回転させる補助力として働く。この付加トルクとぜんまい１０の出力トルクとが合成されたトルクは、図１２の実線Ｃに示すように、ばね部材７１による付加トルク分だけ増加する。
ここで、ぜんまい１０が巻き戻ってぜんまい１０の出力トルクが小さくなるほど太陽車４７に付加されるトルクが大きくなる。このように太陽車４７に付加されるトルクによって適時にぜんまい１０の出力トルクが補われることにより、図１１に示すように、これらのトルクが合成されたトルクが時計の持続時間において略一定となる。
【００７４】
以上の第４実施形態によれば、第１実施形態で述べた（１）および（２）と略同様の効果に加え、次のような効果が得られる。
（５）楕円形の一部の形状を含んだ外周形状を有する太陽カム１００を有することにより、簡略な構成によって、精度をより一層安定させることができるとともに、時計の持続時間をより一層延ばすことができる。
【００７５】
〔第５実施形態〕
次に、本発明の第５実施形態について図１３〜図１５を参照して説明する。本実施形態では、太陽レバーの構成および押圧部材の構成が前記各実施形態とは相違する。
図１３は、本実施形態の時計の要部を示す平面図である。本実施形態では、前記各実施形態における太陽レバーと略同様に機能する太陽カム１１０が設けられている。太陽カム１１０の外周部の一部には、周縁部から略Ｖ字状に窪む凹部１１０Ａが形成されている。
【００７６】
また、本実施形態の押圧部材は、第１部材としてのばね部材７１と、ばね部材７１に軸支され、ばね部材７１と太陽カム１１０との間に介在する第２部材としての押圧補助部材１１２とを有して構成されている。押圧補助部材１１２は、太陽カム１１０側に突出して凹部１１０Ａに係合する係合凸部１１２Ａを有している。
【００７７】
ここで、図１３は、ぜんまい１０がおおよそ巻き戻って時計の持続時間末期に到達した際の状態を示す。この状態において、押圧補助部材１１２の係合凸部１１２Ａは太陽カム１１０の凹部１１０Ａの内周部に係合している。この状態において、ばね部材７１は、図１３における太い矢印方向に向けて押圧補助部材１１２を介して太陽カム１１０を押圧する。このばね部材７１および押圧補助部材１１２による押圧により、太陽車４７に減算側へのトルクが付加される。
【００７８】
一方、図１４は、ぜんまい１０がおおよそ巻き上がった状態を示す。本実施形態では、ぜんまい１０が巻き上がった状態から、ぜんまい１０が巻き戻って係合凸部１１２Ａが凹部１１０Ａに係合するまでの間、図１４の太い矢印のように、係合凸部１１２Ａが太陽カム１１０の回転中心に向けて太陽カム１１０を押圧する。この際、係合凸部１１２Ａは太陽カム１１０の外周部を摺動し、摺動抵抗によって太陽車４７に負荷が加えられる。
【００７９】
図１５は、本実施形態に関し、時計を駆動するためのトルクと、時計の持続時間との関係を示す。実線Ａ〜Ｃは、第１実施形態（図４）の場合と同様にそれぞれ、ぜんまい１０が出力するトルク（実線Ａ参照）、太陽車４７の減算側への回転の補助力として押圧部材により付加される付加トルク（実線Ｂ参照）、ぜんまい１０による出力トルクと押圧部材による付加トルクとが合成されたトルク（実線Ｃ参照）を示す。
【００８０】
ここで、本実施形態では、ぜんまい１０が巻き上がった状態から、ぜんまい１０が巻き戻って凹部１１０Ａに係合凸部１１２Ａが係合するまでの間、図５の実線Ｂのように、太陽車４７の回転に負荷が加えられる。
【００８１】
そして、凹部１１０Ａに係合凸部１１２Ａが係合すると押圧力の方向が変化する。すなわち、係合凸部１１２Ａが凹部１１０Ａの内周部を図１３の矢印方向に押圧し、これによって、太陽車４７を減算側に回転させる付加トルクが生じる。この付加トルクとぜんまい１０が出力するトルクとが合成された全体のトルクは実線Ｃに示すように、付加トルク分だけ増加する。
【００８２】
以上の第５実施形態によれば、第１実施形態で述べた（１）と略同様の効果が得られる。
【００８３】
なお、本発明は前述の実施形態に限定されるものではなく、本発明の目的を達成できる範囲での変形、改良等は本発明に含まれるものである。
例えば、第１実施形態では、本発明のレバーとしての太陽レバー７０が太陽車４７に取り付けられていたが、本発明のレバーとしては、太陽車４７といった出力車と同期して回転すればよいから、出力車と噛み合うことで同期して回転する車を別に設け、この車にレバーを取り付けてもよい。
また、前記各実施形態では、ぜんまい１０の巻数を示す太陽車４７と同期して回転するレバー７０を押圧することにより、太陽車４７の出力トルクを増大させていたが、押圧部材により押圧される出力車としては、このような太陽車４７に限られない。例えば、駆動輪列２０を構成する番車や、駆動輪列２０中の番車に連動する適宜な歯車などを出力車として構成することが考えられる。
【００８４】
前記実施形態では、ぜんまい１０の巻き上げ残量を表示する残量表示機構３０が設けられていたが、このような残量表示機構３０は必要に応じて設けられればよく、設けられていない構成も本発明に含まれる。
【００８５】
前記実施形態では、本発明に係る押圧部材としてばね部材を採用した例を説明したが、押圧部材としてはばね部材に限定されず、押圧力をゴム等の弾性体の弾性力にて発揮できるようにした押圧部材であってもよく、任意である。
【００８６】
本発明の時計としては、前記実施形態のような発電機７を備えた電子制御式機械時計に限らず、脱進機やテンプを調速機として備えた機械式時計であってもよい。
【００８７】
また、レバーや押圧部材の形状等は前記各実施形態には限定されない。例えば、第５実施形態の太陽カム１１０における凹部以外の外周部形状を第４実施形態の太陽カム１００と略同様に楕円形としてもよい。これにより、第４実施形態による作用効果と第５実施形態による作用効果との両方が得られる。
【図面の簡単な説明】
【００８８】
【図１】本発明の第１実施形態に係る時計の概略平面図。
【図２】前記時計の要部を示す平面図。
【図３】前記時計の要部の異なる状態を示す平面図。
【図４】前記時計を駆動するためのトルクを説明するための図。
【図５】本発明の第２実施形態に係る時計の要部を示す平面図。
【図６】前記時計を駆動するためのトルクを説明するための図。
【図７】本発明の第３実施形態に係る時計の要部を示す平面図。
【図８】前記時計の要部の異なる状態を示す平面図。
【図９】前記時計を駆動するためのトルクを説明するための図。
【図１０】本発明の第４実施形態に係る時計の要部を示す平面図。
【図１１】前記時計の要部の異なる状態を示す平面図。
【図１２】前記時計を駆動するためのトルクを説明するための図。
【図１３】本発明の第５実施形態に係る時計の要部を示す平面図。
【図１４】前記時計の要部の異なる状態を示す平面図。
【図１５】前記時計を駆動するためのトルクを説明するための図。
【符号の説明】
【００８９】
１…時計、１０…ぜんまい、４７，８７…出力車である太陽車、７０，８０…レバーである太陽レバー、７１…押圧部材であるばね部材、８１…押圧カム、８２…押圧車、９２…スライダ部材、９３…ガイド部材、１００…レバーである太陽カム、１１０…レバーである太陽カム、１１０Ａ…凹部、１１２…第２部材である押圧補助部材、１１２Ａ…係合凸部。
【図１】
2008268177.tif 000003
【図２】
2008268177.tif 000004
【図３】
2008268177.tif 000005
【図４】
2008268177.tif 000006
【図５】
2008268177.tif 000007
【図６】
2008268177.tif 000008
【図７】
2008268177.tif 000009
【図８】
2008268177.tif 000010
【図９】
2008268177.tif 000011
【図１０】
2008268177.tif 000012
【図１１】
2008268177.tif 000013
【図１２】
2008268177.tif 000014
【図１３】
2008268177.tif 000015
【図１４】
2008268177.tif 000016
【図１５】
2008268177.tif 000017